(57)【要約】【課題】健康な高齢者や生活習慣病患者等が容易に使用することができ、また使用することによって体力を増進させて介護される必要性を極力無くすのに貢献できる介護予防器具を提供することにある。【解決手段】握り杆２と、この握り杆２に垂直に固着した作動軸３と、この作動軸３を出し入れ自在に収納できる支持筒体５と、支持筒体５に内蔵して上記作動軸３を常時上方に付勢する弾発付勢手段４と、上記作動軸３の少なくとも1箇所に形成した貫通孔１２と、上記支持筒体５の少なくとも1箇所の対峙する位置に貫通するように形成した止め孔１７と、支持筒体５の止め孔１７と作動軸３の貫通孔１２とを一致させて上記各孔１２，１７に挿入し上記作動軸３を支持筒体５に固定する止め部材６とからなる。【選択図】  図１
0003122291.tif 000002
【実用新案登録請求の範囲】
【請求項１】
握り杆と、この握り杆に垂直に固着した作動軸と、この作動軸を出し入れ自在に収納できる支持筒体と、支持筒体に内蔵して上記作動軸を常時上方に付勢する弾発付勢手段と、上記作動軸の少なくとも1箇所に形成した貫通孔と、上記支持筒体の少なくとも1箇所の対峙する位置に貫通するように形成した止め孔と、支持筒体の止め孔と作動軸の貫通孔とを一致させて上記各孔に挿入し上記作動軸を支持筒体に固定する止め部材とからなることを特徴とする介護予防器具。
【請求項２】
作動軸の握り杆寄りにマイナスイオン発生口を設けたことを特徴とする請求項1記載の介護予防器具。
【請求項３】
支持筒体の下部に設けて上記支持筒体を支持する支持脚を備えてなることを特徴とする請求項1または２記載の介護予防器具。
【請求項４】
一対の突起付マットを備えたことを特徴とする請求項１、２または３記載の介護予防器具。
【考案の詳細な説明】
【技術分野】
【０００１】
本考案は介護されるのを予防するために体力強化するための器具に関し、主に健康な高齢者や生活習慣病患者等が使用して健康を増進させ介護を受けるのを予防する一助となる介護予防器具に関するものである。
【背景技術】
【０００２】
一般に男女を問わず若者から中年等の健康な人は、日ごろから身体を鍛えてより強靭な身体にするために、民間や公共のスポーツジムやトレーニングセンターに通い、設置されている各種の体力増進器具を使って身体の各部位を鍛えている。また、スポーツジム等に通うことなく各家庭においても各種の体力増進器具を購入して各人が体力増進を図っている。
【考案の開示】
【考案が解決しようとする課題】
【０００３】
しかしながら、従来から販売され使用されている体力増進器具は、健康な人が日々身体を鍛えて健康の増進を図るために主に開発されたものが殆どであり、高齢者や身体の弱い人等に向いている器具ではなく、高齢者等にとっては体力的な面で使いづらいのが現状である。また、健康な高齢者や生活習慣病患者等にとっても日ごろから体力を強化して、できるだけ介護を受けない身体にしたいと望んでいる人は多い。
【０００４】
本考案は上記のような現状に鑑みて開発されたものであり、その目的とするところは、
健康な高齢者や生活習慣病患者等が容易に使用することができ、また使用することによって体力を増進させて介護される必要性を極力無くすのに貢献できる介護予防器具を提供することにある。
【課題を解決するための手段】
【０００５】
請求項１記載の本考案の介護予防器具は、握り杆と、この握り杆に垂直に固着した作動軸と、この作動軸を出し入れ自在に収納できる支持筒体と、支持筒体に内蔵して上記作動軸を常時上方に付勢する弾発付勢手段と、上記作動軸の少なくとも1箇所に形成した貫通孔と、上記支持筒体の少なくとも1箇所の対峙する位置に貫通するように形成した止め孔と、支持筒体の止め孔と作動軸の貫通孔とを一致させて上記各孔に挿入し上記作動軸を支持筒体に固定する止め部材とからなることを特徴とする構成にしてある。
【０００６】
請求項２記載の本考案の介護予防器具は、請求項1記載の介護予防器具において、作動軸の握り杆寄りにマイナスイオン発生口を設けたことを特徴とする構成にしてある。
【０００７】
請求項３記載の本考案の介護予防器具は、請求項1または2記載の介護予防器具において、支持筒体の下部に設けて上記支持筒体を支持する支持脚を備えてなることを特徴とする構成にしてある。
【０００８】
請求項４記載の本考案の介護予防器具は、請求項1、２または３記載の介護予防器具において、一対の突起付マットを備えたことを特徴とする構成にしてある。
【考案の効果】
【０００９】
本考案の介護予防器具によれば、立って握り杆を握るだけで簡単に使用することができ、そして止め部材を抜いて握り杆を握り、力を入れて弾発付勢手段に抗して押し下げ、力を抜いて弾発付勢手段の弾発付勢によって握り杆を元の位置に戻し、再び力を入れて弾発付勢手段に抗して握り杆と共に作動杆を押し下げるといった動作を所定時間または何回か繰り返すことによって、大腿筋、腰筋、腹筋、背筋、その他の部位の筋肉を強化することができ、有酸素運動となって心肺機能を強化することができる。そのため健康な高齢者や生活習慣病患者（若年者も含む。）、介護保険利用者、要支援〜介護２程度の人などが本考案の介護予防器具を使用することによって、体力増進に大いに役に立ち、介護予防の効果を奏することができる。
【考案を実施するための最良の形態】
【００１０】
以下、本考案を実施するための最良の形態を図に基いて説明する。
図１は本考案にかかる一例の介護予防器具１を示す説明図であって、この例の介護予防器具１は、握り杆２、作動軸３、弾発付勢手段の一例であるコイルバネ４、支持筒体５、止め部材６、支持脚７、突起付マット８、および体脂肪等の演算・制御・表示装置9等によって構成されている。
【００１１】
握り杆２は、適宜太さ・長さの金属管（または軸）の両端部にキャップ１０を設けると共に両端部寄りにゴムのグリップ１１を設けたものである。
【００１２】
作動軸３は、上記握り杆２の中央に垂直に設けた適宜太さ・長さの金属管（または軸）からなる。この作動軸３の下端寄りの1箇所または複数個所には、貫通孔１２が形成してある。この作動軸３の下端には円形の当て板１３が設けてあり、作動軸３と共に支持筒体５内を上下動する。
【００１３】
支持筒体５は、有底の金属管によって、作動軸３の長さと同じまたは少し短かい位に形成されたものである。勿論、支持筒体５は作動軸３より長くてもよい。支持筒体５の上部開口端１４には、中央に作動軸３の径より僅かに大きな径の穴１５を開けたキャップ１６が設けてある。また、支持筒体５内には上記したコイルバネ４が内蔵してあり、コイルバネ４の上端４ａは作動軸３の当て板１３と接している。
【００１４】
さらに、支持筒体５の上部開口端１４寄りには適宜間隔を以って複数の止め孔１７が対峙する壁面１８に開けてある。支持筒体５の下端部には、滑り止めようの円形状のゴムパット１９が設けてある。
【００１５】
また、上記した支持筒体５がより安定するように支持筒体５の下部には三叉の支持脚７が設けてある。各脚部１９には端部に滑り止め用のゴム部材２０を設けてある。
【００１６】
また、上記した握り杆２の中央部には、作動軸３の上下動回数や使用者の脈拍や体脂肪率や血圧を表示する演算・制御・表示装置9が使用者側から見やすいように設けてある。
【００１７】
さらに、この例の介護予防器具１は多数の突起２１を表面側に形成した1対の突起付マット８を備えている。各突起２１は足の裏のツボを刺激することができる。さらに、この突起付マット８は、介護予防器具１を使用中の人が素足で踏んだ際に足の裏と電気的に接触する一対の電極部２４（図示の環状線で囲まれた部分）を設けてあり、また、この電極部２４の箇所は金属製の突起部２１ａを配しその他の部分はゴム製の突起部２１ｂを配してある。さらに突起付マット８には使用者の体重を検出する加重センサが内蔵してある。
【００１８】
また、上記した演算・制御・表示装置9は、演算・制御を行うマイコンをケース２５に内蔵し、体脂肪等の数値を表示する表示部２６を表面側に設けてある。さらに演算・制御・表示装置9には、上記した電極部２４に接触している足の裏を介して使用者のインピーダンスを測定するインピーダンス測定部（図示せず）と、使用者の性別・年齢・身長等の身体的特徴情報を含む個人データを入力する入力部（図示せず）とを設けてある。そしてインピーダンス測定部から得られたインピーダンス信号と、加重センサから得られた荷重信号と、入力された使用者の上記した性別等の個人データとに基づいて、マイコンで演算して使用者の体脂肪率（または体脂肪重量）を算出し、上記の表示部２６で表示する。
【００１９】
また、表示部２６ａに表示される脈拍は、別に備えた耳たぶを赤外線発光素子と受光素子で挟み血流脈動を透過光の変化に置き換えて検出し、その単位時間当たりの数に変換して表示される。また、血圧は、別に備えた血圧測定器（図示せず）で検出した数値を結線した演算・制御・表示装置9の表示部２６ｂに表示する。
【００２０】
さらに、表示部２６ｃに表示される作動軸３の上下動回数は、作動杆３に設けた遮蔽板（図示せず）が作動杆３と共に上下動することによって、支持筒体５の上部に内蔵したフォトセンサにより上下回数がカウントされて上記したマイコンを介して表示部２６ｃに表示される。
【００２１】
また、作動軸３の上部にはマイナスイオン発生口２２が設けられていて、作動軸３のマイナスイオン発生口２２と反対側に形成した孔（図示せず）からホース２３の一端部を挿入して上記マイナスイオン発生口２２に接続してある。
【００２２】
このホース２３は図示省略するが別に設置したマイナスイオン発生装置に接続されていて、マイナスイオン発生装置から発生するマイナスイオンを含む空気をマイナスイオン発生口２２に導く。そしてマイナスイオンを含む空気はマイナスイオン発生口２２から外に噴射し、この介護予防器具１の使用中の人の疲労感やストレスを和らげる効果を発揮する。
【００２３】
なお、上記の当て板１３側から支持筒体５内に収納した作動軸３は、コイルバネ４の弾発付勢に抗して押し込み、貫通孔１２と支持筒体５の止め孔１７とを一致させて止め部材６を上記止め孔１７および貫通孔１２に挿入することにより、コイルバネ４の弾発付勢に関係なく作動杆３を所定の高さ位置に固定することができる。
【００２４】
上記のような構成からなる介護予防器具１を使用する場合は、各突起付マット８の上に足を載せ、握り杆２の左右のグリップ１１を握り、支持筒体５内のコイルバネ４の弾発付勢に抗して作動軸３を適宜押し下げ、次に押し下げる力を緩めてコイルバネ４の弾発付勢によって作動軸３を握り杆２と共に元に戻す。この動作を何回となく繰り返すことによって主に大腿筋、腰筋、腹筋、背筋、その他の部位の筋肉を強化することができ、大腿筋等の大きな筋肉を使うことによって酸素を取り入れて有酸素運動となり、心肺機能を強化することができる。
【００２５】
また、高齢者で作動軸３を上下することなくこの介護予防器具１を使って身体を動かし健康増進を図りたい人は、自分に合った高さ位置に握り杆２を合わせるようにして作動軸３の貫通孔１２と、支持筒体５の止め孔１７とを一致させ、止め部材６を上記止め孔１７および貫通孔１２に挿入して作動軸３を支持筒体５に固定し、握り杆２を握って屈伸運動をすることによっても、身体のバランスを崩して転倒するといったことなく身体を鍛えることができる。
【００２６】
上記の介護予防器具１の使用対象者としては、健康な高齢者、生活習慣病患者（若年者も含む。）、介護保険利用者、要支援〜介護２程度の人など挙げることができるが、勿論その他に人が使用しても健康増進に大いに役に立つ。
【００２７】
そして上記の介護予防器具１を使用することによって、転倒防止、認知症予防、生活習慣病改善（糖尿病、高血圧、高脂肪）癌予防、腰痛予防、ダイエット、また食後の使用により血糖値を下げるなどの効果を奏するのに寄与することができ、さらに歩行回復の一助にもなる。
【００２８】
また、上記の介護予防器具１は、室内で場所をとらずに使用することができ、また作動軸３の上下動回数（運動回数）が握り杆２に設けた表示板に表示されるので目標、効果等の把握ができる。また、高額な商品ではないので個人でも購入することができる。
【００２９】
さらにこの介護予防器具１を使って体力をつけることにより病気にかかりにくい身体をつくることができ、治療費、入院費、薬代が要らなくて経済的である。またみんなが集まって集団でも或いはひとりで家庭でも利用できる。効果が現れやすいので楽しくでき継続できる。
【００３０】
なお、弾発付勢手段は上記したコイルバネ４に限らず油圧式の弾発付勢装置であってもよい。
【図面の簡単な説明】
【００３１】
【図１】本考案にかかる一例の介護予防器具の説明図である。
【符号の説明】
【００３２】
１    介護予防器具
２    握り杆
３    作動軸
４    コイルバネ（弾発付勢手段）
５    支持筒体
６    止め部材
７    支持脚
１２  貫通孔
１７  止め孔
２２  マイナスイオン発生口
【図１】
0003122291.tif 000003